(57)【要約】  本発明は、チャンネル登録とコンテンツ送信をするために会員に加入した使用者らの会員情報、会員らが登録したチャンネルらの情報、会員らが登録したコンテンツ情報及びコンテンツを表示するために使用されるスキン情報らが保存されている管理者サーバー及び管理者サーバーと通信ネットワークを通じて各種情報を取り交わしながら選択したチャンネルら、受信されたコンテンツら、コンテンツと関連されるスキンらを保存して、使用者コンピューターにスキンとコンテンツを表示するためのクライアントモジュールが搭載された使用者コンピューターで構成されて、デスクトップ画面を利用した情報伝達の大衆化のためのクライアントモジュールを搭載した使用者コンピューターを所有した受信者らに情報を送るように準備して、情報受信者として提供された情報を伝達されることができるように構成されたものであり、これはウェッブブラウザーや電子メールと共にデスクトップ画面上に直接情報を伝達するまた一つのオンライン情報通信手段を提供することができる。
2008536212.tif 000002
【特許請求の範囲】
【請求項１】
チャンネル登録とコンテンツ送信をするために会員に加入した使用者らの会員情報、会員らが登録したチャンネルらの情報、会員らが登録したコンテンツ情報及びコンテンツを表示するために使用されるスキン情報らが保存されている管理者サーバーと、及び
通信ネットワークを通じて前記管理者サーバーと各種情報を取り交わしながら選択したチャンネルら、受信されたコンテンツら、コンテンツと関連されるスキンらを保存して、使用者コンピューターにスキンとコンテンツを表示するためのクライアントモジュールが搭載された使用者コンピューターと、で構成されて、
前記管理者サーバーは、デスクトップ画面を利用した情報伝達の大衆化のためのクライアントモジュールを搭載した使用者コンピューターを所有した受信者らに情報を送るように準備して、情報受信者として提供された情報を伝達されることができるように構成されることを特徴とするデスクトップ画面を利用した情報伝達の大衆化装置。
【請求項２】
会員加入段階とチャンネル登録段階及び各チャンネルに対する情報登録段階でなされて受信者に情報を送るように準備する段階と、及び
クライアントモジュールを使用者コンピューターに設置する段階と情報伝達チャンネルを選択する段階、チャンネルに送信される情報を受信する段階及び受信された情報を使用者コンピューター上に表示する段階でなされて情報受信者として管理者サーバーから提供される情報を伝達される段階と、を含むことを特徴とするデスクトップ画面を利用した情報伝達の大衆化方法。
【請求項３】
前記チャンネル登録段階は、会員に加入した使用者のみ利用可能な段階であり一人の会員がいくつかのチャンネルを生成することができるし、チャンネル検索に必要な上位カテゴリーと下位カテゴリーを選択して、キーワード検索に必要なチャンネル検索キーワードを入力することができるし、チャンネルは公開チャンネルと非公開チャンネルに分けられることができるし、チャンネルが非公開になっている場合管理者サーバーまたはクライアントモジュールを通じて受信設定時に暗号を要求するようになって、使用者が入力した暗号がチャンネルパスワードと一致すればこそ受信設定が可能になって、チャンネル名やチャンネルのロゴはコンテンツと共に表示されるスキンに一緒に表示されることができるようにすることを特徴とする請求項２に記載のデスクトップ画面を利用した情報伝達の大衆化方法。
【請求項４】
前記各チャンネルに対する情報登録段階は、チャンネルを登録した会員が利用可能な段階であり、会員自分が登録したチャンネルのうちで情報またはコンテンツを登録するチャンネルを選択して、コンテンツ題目及び内容を入力してコンテンツと共に表示されるスキンを選択して、送信期間を入力して、入力したコンテンツは該当チャンネルを受信設定した使用者らに表示されることができるし、送信期間が経ってから受信設定するか、または送信期間中に使用者コンピューターがついていなかったら該当コンテンツが使用者に表示されないようにすることを特徴とする請求項２に記載のデスクトップ画面を利用した情報伝達の大衆化方法。
【請求項５】
前記提供されたクライアントモジュールを使用者コンピューターに設置する段階は、情報伝達チャンネルを選択すると同時になされて、チャンネル検索を通じた方法とタグ挿入を通じた方法及び設置ＵＲＬを通じた方法でなされることを特徴とする請求項２に記載のデスクトップ画面を利用した情報伝達の大衆化方法。
【請求項６】
前記受信された情報を使用者コンピューター上に表示する段階で、スキン、コンテンツ、広告などを結合して使用者コンピューター画面上に表示することと情報を新たに受信した場合には、使用者の作業を邪魔しないようにコンピューターデスクトップ画面のすべての作業窓の最下端に表示されて、過ぎ去った情報を確認したい場合には受信コンテンツリスト上で願うコンテンツを選択して確認できるようにすることを特徴とする請求項２に記載のデスクトップ画面を利用した情報伝達の大衆化方法。
【発明の詳細な説明】
【発明の詳細な説明】
【０００１】
〔技術分野〕
本発明は、デスクトップ画面（パソコンの初期画面）を利用した情報伝達の大衆化装置及び方法に関し、特に、任意の情報伝達者には情報伝達チャンネル及び情報を登録することができる装置及び方法を提供して、情報受信者には既に登録された情報伝達チャンネルの検索、選択及び選択したチャンネルを通じて持続的にデスクトップ画面上に情報を伝達されることができる装置及び方法を提供してくれるデスクトップ画面を利用した情報伝達の大衆化装置及び方法に関するものである。
【０００２】
〔背景技術〕
従来、通信ネットワークを通じてチャンネルを形成して情報を取り交わす代表的な方法としては、ウェッブブラウザーを通じてホームページを閲覧するか、または電子メールで情報を取り交わす方法などがある。ホームページ閲覧を通じた方法では、ホームページまたはウェッブサイト構築の複雑な過程を経らなければならないし、受信者らに知らせるための努力が隋伴されなければならない。情報伝達者はホームページに情報を乗せて情報受信者が訪問することを待つしかなくて、受動的な情報伝達チャンネルであると言える。
【０００３】
前記した電子メールの場合には能動的な情報伝達チャンネルで活用されることはできるが、受信者らの電子メール住所を収集、管理する過程が必要であり、情報チャンネルに対する説明を受信者らに知らせるための努力がやっぱり併行されなければならない。よって、上の二つの方法両方は一般人らが情報伝達チャンネルを駆逐し難いという問題点がある。
【０００４】
〔発明の詳細な説明〕
本発明の目的は、ウェッブブラウザーや電子メールと共にデスクトップ画面上に直接情報を伝達するまた一つのオンライン情報通信手段を提供できるようにするデスクトップ画面を利用した情報伝達の大衆化装置及び方法を提供することにある。
【０００５】
前記した目的を達成するための本発明によるデスクトップ画面を利用した情報伝達の大衆化装置は、チャンネル登録とコンテンツ送信をするために会員として加入した使用者らの会員情報、会員らが登録したチャンネルらの情報、会員らが登録したコンテンツ情報及びコンテンツを表示するために使用されるスキン情報らが保存されている管理者サーバーと、及び前記管理者サーバーと通信ネットワークを通じて各種情報を取り交わしながら選択したチャンネルら、受信されたコンテンツら、コンテンツと関連されるスキンらを保存して、使用者コンピューターにスキンとコンテンツを表示するためのクライアントモジュールが搭載された使用者コンピューターで構成されて、デスクトップ画面を利用した情報伝達の大衆化のためのクライアントモジュールを搭載した使用者コンピューターを所有した受信者らに情報を送ることができるように準備して、情報受信者として提供された情報を伝達されることができるように構成されることを特徴とする。
【０００６】
また、本発明による方法は、会員加入段階とチャンネル登録段階及び各チャンネルに対する情報登録段階でなされて受信者に情報を送るように準備する段階と、及びクライアントモジュールを使用者コンピューターに設置する段階と情報伝達チャンネルを選択する段階と、チャンネルに送信される情報を受信する段階及び受信された情報を使用者コンピューター上に表示する段階でなされて情報受信者として管理者サーバーから提供される情報の伝達を受ける段階と、を含むことを特徴とする。
【０００７】
また、本発明において、前記チャンネル登録段階は、会員に加入した使用者のみ利用可能な段階であり、一人の会員がいくつかのチャンネルを生成することができるし、チャンネル検索に必要な上位カテゴリーと下位カテゴリーを選択して、キーワード検索に必要なチャンネル検索キーワードを入力することができるし、チャンネルは公開チャンネルと非公開チャンネルに分けられることができるし、チャンネルが非公開でなされている場合管理者サーバーまたはクライアントモジュールを通じて受信設定時に暗号を要求するようになって、使用者が入力した暗号がチャンネルパスワードと一致すればこそ受信設定が可能になって、チャンネル名やチャンネルのロゴはコンテンツと共に表示されるスキンと共に表示されることができるようにすることが望ましい。
【０００８】
また、本発明において、前記各チャンネルに対する情報登録段階は、チャンネルを登録した会員が利用可能な段階であり、会員自分が登録したチャンネルのうちで情報またはコンテンツを登録するチャンネルを選択して、コンテンツ題目及び内容を入力してコンテンツと共に表示されるスキンを選択して、送信期間を入力して、入力したコンテンツは該当チャンネルを受信設定した使用者らに表示されることができるし、送信期間が経ってから受信設定するか、または送信期間中に使用者コンピューターがついていなかったら該当コンテンツが使用者に表示されないようにすることが望ましい。
【０００９】
また、本発明において、前記提供されたクライアントモジュールを使用者コンピューターに設置する段階は、情報伝達チャンネルを選択すると同時になされて、チャンネル検索を通じた方法とタグ挿入を通じた方法及び設置ＵＲＬを通じた方法でなされることが望ましい。
【００１０】
また、本発明において、前記受信された情報を使用者コンピューター上に表示する段階で、スキン、コンテンツ、広告などを結合して使用者コンピューター画面上に表示することと情報を新たに受信した場合には、使用者の作業を邪魔しないようにコンピューターデスクトップ画面のすべての作業窓の最下端に表示されて、過ぎ去った情報を確認したい場合には、受信コンテンツリスト上で願うコンテンツを選択して確認するようにすることが望ましい。
【００１１】
〔実施例〕
以下、添付された図面を参照して本発明を詳しく説明する。本発明によるデスクトップ画面を利用した情報伝達の大衆化装置は、図１に示すように、会員、チャンネル、コンテンツ及びスキン情報が保存されている管理者サーバー１０１と、該管理者サーバー１０１で通信ネットワーク１０２を通じて情報を取り交わして、受信設定されたチャンネル情報、受信したコンテンツ情報、コンテンツを表示するためのスキン情報を保存して、コンテンツをスキンと共に使用者コンピューターの画面上に表示するためのクライアントモジュール１０４が搭載された使用者コンピューター１０３で構成される。
【００１２】
前記管理者サーバー１０１は図２で見るところのように、会員情報としては会員自ら決める固有の識別子である会員ＩＤ、会員ログイン時に確認する会員パスワード(ＰＷ)、会員の名前でなされた会員名、会員の電話または携帯電話番号でなされた会員電話番号、会員電子メールなどを例に挙げることができる。
【００１３】
また、チャンネル情報としてはチャンネルを生成させた会員の会員ＩＤ、チャンネルを区分する固有識別子(Identifier)であるチャンネルＩＤ、チャンネルが属する上位カテゴリーであるカテゴリー１、チャンネルが属する下位カテゴリーであるカテゴリー２、チャンネル検索時に必要なキーワードであるチャンネルキーワード、チャンネルを一般人に公開するかの可否を決めるチャンネル公開可否、チャンネルを非公開にする場合のチャンネル受信暗号であるチャンネルのパスワード、チャンネルのロゴ、チャンネル紹介、チャンネルと関連されるホームページ住所などを例に挙げることができる。
【００１４】
また、コンテンツ情報としてはコンテンツが配布されるチャンネルＩＤ、コンテンツを発送した会員ＩＤ、コンテンツを受信した受信者数、コンテンツの題目、EXTまたはHTMLで表現可能なコンテンツ内容、コンテンツが表示されるスキン、コンテンツが送信される送信期間などを例に挙げることができる。
【００１５】
最後に、管理者サーバー１０１を構成するスキン情報としては、スキンＩＤ、スキン題目、スキン説明、スキンをダウンロードするスキンＵＲＬ、スキン内のコンテンツ領域の横、縦、大きさを言うスキンコンテンツ大きさ、スキン内の広告領域の横、縦、大きさを言う広告領域大きさなどを例に挙げることができる。
【００１６】
また、本発明によるデスクトップ画面を利用した情報伝達の大衆化方法は、情報伝達者としての使用者は会員加入段階とチャンネル登録段階及び各チャンネルに対する情報登録段階を遂行する。また、情報受信者としての使用者は提供されたクライアントモジュール、すなわち情報伝達装置を使用者コンピューターに設置する段階と、情報伝達チャンネルを選択する段階、チャンネルに送信される情報を受信する段階及び受信された情報を使用者コンピューター上に表示する段階を遂行する。
【００１７】
以上で言及した情報伝達者と情報受信者として遂行する各段階をより具体的に説明する。先ず、会員加入段階は、管理者サーバー１０１を利用してデスクトップ画面上に情報を伝達しようとする使用者が加入する段階であり、図３でのように使用者を区分することができる最小限の個人情報を入力される段階である。会員加入がなされるとチャンネル登録及びコンテンツ登録をすることができる資格が与えられるようになる。次に、チャンネル登録段階は、会員として加入した使用者のみが可能な段階であり、図４に示すように一人の会員がいくつかのチャンネルを生成することができる。チャンネル検索に必要な上位カテゴリーと下位カテゴリーを選択しなければならないし、キーワード検索に必要なチャンネル検索キーワードを入力するようにする。また、チャンネルは公開チャンネルと非公開チャンネルに分けられることができるが、公開チャンネルは誰も受信設定が可能なチャンネルを言って、非公開チャンネルは暗号を入力すればこそ受信設定が可能なチャンネルを言う。チャンネルが非公開でなっている場合、管理者サーバー１０１またはクライアントモジュール１０４を通じて受信設定時に暗号を要求するようになって、使用者が入力した暗号がチャンネルパスワードと一致すればこそ受信設定が可能になる。チャンネル名やチャンネルのロゴはコンテンツと共に表示されるスキンに一緒に表示されることができる。勿論、図５に示すように登録されたチャンネルリストは画面上で確認することもできる。
【００１８】
また、各チャンネルに対する情報登録段階は、チャンネルを登録した会員が利用可能な段階であり、図６でのように会員自分が登録したチャンネルのうちで情報またはコンテンツを登録するチャンネルを選択しなければならないし、コンテンツ題目及び内容を入力してコンテンツと共に表示されるスキンを選択して送信期間を入力しなければならない。入力したコンテンツは該当チャンネルを受信設定した使用者らに表示されることができるし、送信期間が経ってから受信設定するか、または送信期間中に使用者コンピューターがついていなかったら該当コンテンツが使用者に表示されない。勿論、登録されたコンテンツもチャンネルと同様に画面上で図７に示すように確認することができる。
【００１９】
そして、管理者サーバー１０１で提供されたクライアントモジュール１０４を使用者コンピューター１０３に設置する段階は、普通情報伝達チャンネルを選択すると同時になされて、次のような三種類の方法を例に挙げることができる。ここで、二番目と三番目の方法はチャンネル登録段階で電子メールなどの手段によってチャンネル登録者に知らせるようになる。使用者コンピューター１０３に既にクライアントモジュール１０４が設置されている場合には該当チャンネルの受信設定のみがなされるようになる。
【００２０】
先ず、一番目でチャンネル検索を通じた方法は、図８ないし図１０に示すように、管理者サーバー１０１のウェッブページまたはクライアントモジュール１０４のチャンネル検索を通じて該当チャンネルを選択して、該当チャンネルの‘受信’ボタンを押すとチャンネル受信同意の画面が表示されて使用者が‘同意する’だけ押すと簡単に設置されることができる。
【００２１】
二番目のタグ挿入を通じた方法は、ホームページHTMLソースの</body>の真上に適切な‘Java(登録商標）Scriptタグ’を挿入するだけで、使用者が自分のホームページに接続すれば設置及びチャンネル受信設定になることができる。設置用JavaScriptタグは次のような形態になる。
【００２２】
<script language="javaScript"src="http：//mylinkernet.contents.mylinker. co.kr/mylinkernet/health/DTSF_mylinker_NET１０１５１_１１８_DIRECT．js"></script>該当‘JavaScript’はチャンネル登録時に自動生成されて管理者サーバー１０１に保存されているし、チャンネル登録者に電子メールなどを通じて知らせるようになる。使用者が会員のホームページ訪問時にチャンネル受信同意画面が表示されて、使用者が‘同意する’さえ押すと簡単に設置されることができる。
【００２３】
最後に、三番目の設置ＵＲＬを通じた方法は、電子メール、掲示板、メッセンジャーなどを通じて次のような設置ＵＲＬを知らせるようになって、使用者は設置ＵＲＬをクリックするだけで、チャンネルに対する案内及び受信同意画面が別途の窓で表示されて使用者は‘同意する’さえ押すと簡単に設置することができる。
【００２４】
http：//mylinkernet.contents.mylinker.co.kr/mylinkernet/health/DTSF_mylinker_NET１０１５１_１１８_install_home.html
上のような方法で選択されたチャンネルに送信される情報を受信する段階は、クライアントモジュール１０４が設置された使用者コンピューター１０３でなされて、クライアントモジュール１０４は管理者サーバー１０１と接続して受信設定されたチャンネルに送信されるスキン、コンテンツ、広告などの情報を伝達されるようになる。
【００２５】
受信された情報を使用者コンピューター１０３上にデスクトップ画面で表示する段階は図１２及び図１３でのように、スキン、コンテンツ、広告などを結合して使用者コンピューター１０３画面上に表示する段階であり、情報を新たに受信した場合には使用者の作業を邪魔しないように使用者コンピューター１０３デスクトップ画面のすべての作業窓の最下端に表示されるようにすることができて、過ぎ去った情報を確認したい場合には図１１でのように該当使用者コンピューター１０３の受信コンテンツリスト上で願うコンテンツを選択して確認が可能である。
【００２６】
〔産業上利用可能性〕
以上で説明したように、本発明によると、使用者が簡単な会員加入手続きを経ってチャンネルを自由に生成することができるし、形成されたチャンネルを通じてコンテンツを簡単に登録して情報受信者らに情報を送ることができると同時に情報受信者の場合にもクライアントモジュール設置とチャンネル受信設定が同時に簡単になされるようにすることでウェッブブラウザーや電子メールに引き続きデスクトップ画面上に直接情報を伝達するまた一つのオンライン情報通信手段を提供することができる。
【図面の簡単な説明】
【００２７】
【図１】本発明によるデスクトップ画面を利用した情報伝達の大衆化装置を簡略に示す図面である。
【図２】管理者サーバーに保存される情報の種類及び属性を詳しく示す図面である。
【図３】会員加入段階でディスプレーされる画面である。
【図４】チャンネル登録段階でディスプレーされる画面である。
【図５】会員が登録したチャンネルらのリストを示す画面である。
【図６】コンテンツ登録段階で表示される画面である。
【図７】会員が登録したコンテンツらのリストを示す画面である。
【図８】情報伝達チャンネルを選択する段階でチャンネル検索及び受信設定を示す画面である。
【図９】使用者が特定チャンネルに対して受信設定する場合に表示されるチャンネル受信同意画面である。
【図１０】情報伝達チャンネルを選択する段階でユーザー側でのチャンネルリスト及び設定を示す画面である。
【図１１】チャンネルに送信される情報を受信する段階で受信されたコンテンツらのリストを示す画面である。
【図１２】受信された情報を使用者コンピューター上に表示する段階でスキンとコンテンツが結合されて表示されることを示す画面である。
【図１３】受信された情報を使用者コンピューター上に表示する段階でスキンとコンテンツが結合されて表示されることを示す画面である。
【図１】
2008536212.tif 000003
【図２】
2008536212.tif 000004
【図３】
2008536212.tif 000005
【図４】
2008536212.tif 000006
【図５】
2008536212.tif 000007
【図６】
2008536212.tif 000008
【図７】
2008536212.tif 000009
【図８】
2008536212.tif 000010
【図９】
2008536212.tif 000011
【図１０】
2008536212.tif 000012
【図１１】
2008536212.tif 000013
【図１２】
2008536212.tif 000014
【図１３】
2008536212.tif 000015
【国際調査報告】
2008536212.tif 000016
2008536212.tif 000017